(57)【要約】フォトアルバムを作成する際に、個別ページを作成することができ、共通ページに含まれる画像における各人物の登場回数を均等にする。本発明の画像処理装置、画像処理方法、プログラムおよび記録媒体においては、画像の解析結果、特定の個人の名前、および、人物の名前と人物の画像のグループとの関連付けに基づいて、複数の画像の中から、個別画像および共通画像を選択し、個別画像を個別ページにレイアウトし、かつ共通画像を共通ページにレイアウトする。個別画像として、特定の個人の名前に対応する人物を含む２人以下の人物が写っている画像を優先的に選択し、共通画像として、個別画像以外の画像であり、かつ各々の人物の登場回数が複数の人物の登場回数の平均になるように、３人以上の人物が写っている画像を選択する。
2019130823.tif 000002
【特許請求の範囲】
【請求項１】
特定の個人のみが使用する１以上の個別ページ、および、前記特定の個人を含む複数の人物が共通に使用する１以上の共通ページを有するフォトアルバムを作成する画像処理装置であって、
ユーザから入力される指示を取得する指示取得部と、
前記複数の人物の名前を登録する名前登録部と、
前記複数の人物が写っている複数の画像を取得する画像取得部と、
前記複数の画像を解析する画像解析部と、
前記複数の画像の解析結果に基づいて、前記複数の画像を、前記複数の人物の各々が写っている画像を含む複数のグループに分類する画像分類部と、
前記各々の人物の名前と、前記各々の人物の名前に対応する人物が写っている画像を含む前記複数のグループの各々と、の関連付けを行う関連付け部と、
前記ユーザの指示に従って前記複数の人物の名前の中から前記特定の個人の名前を指定する個人指定部と、
前記複数の画像の解析結果、前記特定の個人の名前および前記関連付けに基づいて、前記複数の画像の中から、前記個別ページにおいて使用される個別画像および前記共通ページにおいて使用される共通画像を選択する画像選択部と、
前記複数の画像の解析結果に基づいて、前記共通画像における前記各々の人物の登場回数をカウントする登場回数カウント部と、
レイアウト情報に基づいて、前記個別画像を前記個別ページにレイアウトし、かつ前記共通画像を前記共通ページにレイアウトするレイアウト部と、を備え、
前記画像選択部は、前記個別画像として、前記特定の個人の名前に対応する人物を含む２人以下の人物が写っている画像を優先的に選択し、前記共通画像として、前記個別画像以外の画像であり、かつ前記各々の人物の登場回数が前記複数の人物の登場回数の平均になるように、３人以上の人物が写っている画像を選択する、画像処理装置。
【請求項２】
さらに、前記ユーザの指示に従って、前記レイアウト部によってレイアウトされた個別ページを表示個別ページとして画像表示部に表示し、前記表示個別ページのレイアウトを編集し、かつ前記ユーザの指示に従って、前記レイアウト部によってレイアウトされた共通ページを表示共通ページとして前記画像表示部に表示し、前記表示共通ページのレイアウトを編集するページ編集部を備える、請求項１に記載の画像処理装置。
【請求項３】
前記個人指定部は、前記画像表示部に表示された前記複数の人物の名前のリストの中から、前記ユーザの指示に従って選択された１人の人物の名前を前記特定の個人の名前として指定し、
前記ページ編集部は、前記１人の人物の名前に対応する人物の個別ページを前記表示個別ページとして前記画像表示部に表示する、請求項２に記載の画像処理装置。
【請求項４】
前記ページ編集部は、前記複数の画像の中から、前記１人の人物の名前に対応する人物が写っている画像を選択し、前記表示個別ページを編集するための編集候補画像として前記画像表示部に優先的に表示する、請求項３に記載の画像処理装置。
【請求項５】
前記画像解析部は、前記表示個別ページにレイアウトされた個別画像に写っている人物の顔を検出し、
前記ページ編集部は、前記表示個別ページにレイアウトされた個別画像において、前記顔の検出結果に基づいて、前記人物の顔領域を囲む顔枠を、前記人物毎に区別して表示する、請求項２ないし４のいずれか一項に記載の画像処理装置。
【請求項６】
前記ページ編集部は、前記表示共通ページにおいて、前記フォトアルバム全体、および、前記表示共通ページにおける前記各々の人物の登場回数を前記画像表示部に表示する、請求項２ないし５のいずれか一項に記載の画像処理装置。
【請求項７】
前記ページ編集部は、前記フォトアルバム全体、および、前記１以上の共通ページの各々における前記各々の人物の登場回数を前記画像表示部に表示する、請求項２ないし６のいずれか一項に記載の画像処理装置。
【請求項８】
前記ページ編集部は、前記複数の人物の名前のリストを前記画像表示部に表示し、かつ前記ユーザの指示に従って選択された個別画像または共通画像に写っている人物に対応する人物の名前を、前記リストにおいて識別表示する、請求項２ないし７のいずれか一項に記載の画像処理装置。
【請求項９】
前記ページ編集部は、前記ユーザの指示に従って選択された個別画像または共通画像に写っている人物に対応する人物の名前のリストを前記画像表示部に表示する、請求項２ないし７のいずれか一項に記載の画像処理装置。
【請求項１０】
さらに、前記複数の画像の解析結果に基づいて、前記各々の画像を評価してスコアを算出する画像評価部を備え、
前記ページ編集部は、前記共通画像における特定の人物の登場回数が前記複数の人物の登場回数の平均よりも多い場合に、前記特定の人物が写っている共通画像の中から、前記スコアが閾値未満の共通画像を選択して削除候補画像として前記画像表示部に表示し、前記画像表示部に表示された削除候補画像の中から前記ユーザの指示に従って選択された削除候補画像を前記表示共通ページから削除する、請求項２ないし９のいずれか一項に記載の画像処理装置。
【請求項１１】
前記ページ編集部は、前記共通画像における特定の人物の登場回数が前記複数の人物の登場回数の平均よりも多く、かつ前記特定の人物が写っている共通画像の中から１つの共通画像を削除すると、前記１つの共通画像に写っている、前記複数の人物の登場回数の平均よりも少ない他の人物の登場回数がさらに少なくなる場合に、前記特定の人物が写っている共通画像の中から、前記他の人物が写っていない共通画像を選択して削除候補画像として前記画像表示部に表示し、前記画像表示部に表示された削除候補画像の中から前記ユーザの指示に従って選択された削除候補画像を前記表示共通ページから削除する、請求項２ないし９のいずれか一項に記載の画像処理装置。
【請求項１２】
さらに、前記削除候補画像が削除される前に、前記削除候補画像を削除してよいか否かを確認するための警告を発する警告発生部を備える、請求項１０または１１に記載の画像処理装置。
【請求項１３】
さらに、前記複数の画像の解析結果に基づいて、前記各々の画像を評価してスコアを算出する画像評価部を備え、
前記ページ編集部は、前記共通画像における特定の人物の登場回数が前記複数の人物の登場回数の平均よりも少ない場合に、前記特定の人物が写っている共通画像の中から、前記スコアが閾値以上の共通画像を選択して採用候補画像として前記画像表示部に表示し、前記画像表示部に表示された採用候補画像の中から前記ユーザの指示に従って選択された採用候補画像を前記表示共通ページにレイアウトする、請求項２ないし９のいずれか一項に記載の画像処理装置。
【請求項１４】
前記ページ編集部は、前記共通画像における特定の人物の登場回数が前記複数の人物の登場回数の平均よりも少なく、かつ前記特定の人物が写っている共通画像の中から１つの共通画像を追加すると、前記１つの共通画像に写っている、前記複数の人物の登場回数の平均よりも多い他の人物の登場回数がさらに多くなる場合、前記特定の人物が写っている共通画像の中から、前記他の人物以外の人物が写っている共通画像を選択して採用候補画像として前記画像表示部に表示し、前記画像表示部に表示された採用候補画像の中から前記ユーザの指示に従って選択された採用候補画像を前記表示共通ページにレイアウトする、請求項２ないし９のいずれか一項に記載の画像処理装置。
【請求項１５】
前記ページ編集部は、前記共通画像における特定の人物の登場回数が前記複数の人物の登場回数の平均よりも多い場合に、前記特定の人物が写っている共通画像をトリミングして、前記特定の人物が写っている共通画像から前記特定の人物を削除する、請求項２ないし９のいずれか一項に記載の画像処理装置。
【請求項１６】
前記画像解析部は、前記共通画像に写っている人物の顔のサイズを検出し、
前記登場回数カウント部は、前記共通画像における、前記顔のサイズが閾値以上である前記各々の人物の登場回数をメインの登場回数としてカウントし、
前記ページ編集部は、前記特定の人物の登場回数の代わりに前記特定の人物のメインの登場回数を用い、かつ、前記複数の人物の登場回数の平均の代わりに前記複数の人物のメインの登場回数の平均を用いる、請求項１０ないし１５のいずれか一項に記載の画像処理装置。
【請求項１７】
前記顔のサイズの閾値は、前記フォトアルバムのページのサイズに対する前記顔のサイズの割合、または、前記表示共通ページにレイアウトされた共通画像のサイズに対する前記顔のサイズの割合によって決定される、請求項１６に記載の画像処理装置。
【請求項１８】
さらに、前記複数の画像の解析結果、前記特定の個人の名前および前記関連付けに基づいて、前記特定の個人と前記特定の個人以外の前記各々の人物との親密度を算出する親密度算出部を備え、
前記ページ編集部は、前記複数の画像の中から、前記表示個別ページを編集するための画像を選択して編集候補画像として前記画像表示部に表示し、かつ前記編集候補画像において、前記特定の個人との前記親密度が閾値以上である人物が写っている編集候補画像を優先的に表示する、請求項２ないし１７のいずれか一項に記載の画像処理装置。
【請求項１９】
さらに、前記複数の画像の解析結果、前記特定の個人の名前および前記関連付けに基づいて、前記特定の個人と前記特定の個人以外の前記各々の人物との親密度を算出する親密度算出部を備え、
前記画像選択部は、前記複数の画像の中から、前記特定の個人との前記親密度が閾値以上である人物が写っている画像を前記個別画像として優先的に選択する、請求項２ないし１８のいずれか一項に記載の画像処理装置。
【請求項２０】
さらに、前記複数の画像の中からトリミングが行われた後にプリント注文された画像のトリミング情報を記憶するトリミング情報記憶部を備え、
前記ページ編集部は、前記表示個別ページにレイアウトされた個別画像が、過去に前記トリミングが行われた後にプリント注文された画像である場合に、前記トリミング情報に基づいて、前記プリント注文された画像と同じトリミングを前記個別画像に行う、請求項２ないし１９のいずれか一項に記載の画像処理装置。
【請求項２１】
さらに、前記複数の画像の中からプリント注文された画像の注文枚数の情報を記憶する注文枚数情報記憶部を備え、
前記ページ編集部は、前記複数の画像の中から、前記表示共通ページを編集するための画像を選択して編集候補画像として前記画像表示部に表示し、かつ前記画像表示部に表示された編集候補画像において、過去の前記プリント注文された画像の注文枚数が閾値以上である編集候補画像を識別表示する、請求項２ないし２０のいずれか一項に記載の画像処理装置。
【請求項２２】
さらに、前記複数の画像の中からプリント注文された画像の注文枚数の情報を記憶する注文枚数情報記憶部を備え、
前記画像選択部は、前記複数の画像の中から、過去の前記プリント注文された画像の注文枚数が閾値以上である画像を前記共通画像として優先的に選択する、請求項１ないし２０のいずれか一項に記載の画像処理装置。
【請求項２３】
前記レイアウト部は、前記共通ページにおいて、サイズが小さい領域にレイアウトする共通画像よりも、サイズが大きい領域にレイアウトする共通画像の方が、写っている人物の数が多くなるように前記共通画像をレイアウトする、請求項１ないし２２のいずれか一項に記載の画像処理装置。
【請求項２４】
前記レイアウト部は、前記特定の個人の名前を表す文字列の画像を前記個別ページにレイアウトする、請求項１ないし２３のいずれか一項に記載の画像処理装置。
【請求項２５】
特定の個人のみが使用する１以上の個別ページ、および、前記特定の個人を含む複数の人物が共通に使用する１以上の共通ページを有するフォトアルバムを作成する画像処理方法であって、
指示取得部が、ユーザから入力される指示を取得するステップと、
名前登録部が、前記複数の人物の名前を登録するステップと、
画像取得部が、前記複数の人物が写っている複数の画像を取得するステップと、
画像解析部が、前記複数の画像を解析するステップと、
画像分類部が、前記複数の画像の解析結果に基づいて、前記複数の画像を、前記複数の人物の各々が写っている画像を含む複数のグループに分類するステップと、
関連付け部が、前記各々の人物の名前と、前記各々の人物の名前に対応する人物が写っている画像を含む前記複数のグループの各々と、の関連付けを行うステップと、
個人指定部が、前記ユーザの指示に従って前記複数の人物の名前の中から前記特定の個人の名前を指定するステップと、
画像選択部が、前記複数の画像の解析結果、前記特定の個人の名前および前記関連付けに基づいて、前記複数の画像の中から、前記個別ページにおいて使用される個別画像および前記共通ページにおいて使用される共通画像を選択するステップと、
登場回数カウント部が、前記複数の画像の解析結果に基づいて、前記共通画像における前記各々の人物の登場回数をカウントするステップと、
レイアウト部が、レイアウト情報に基づいて、前記個別画像を前記個別ページにレイアウトし、かつ前記共通画像を前記共通ページにレイアウトするステップと、を含み、
前記個別画像および前記共通画像を選択するステップは、前記個別画像として、前記特定の個人の名前に対応する人物を含む２人以下の人物が写っている画像を優先的に選択し、前記共通画像として、前記個別画像以外の画像であり、かつ前記各々の人物の登場回数が前記複数の人物の登場回数の平均になるように、３人以上の人物が写っている画像を選択する、画像処理方法。
【請求項２６】
請求項２５に記載の画像処理方法の各々のステップをコンピュータに実行させるためのプログラム。
【請求項２７】
請求項２５に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数の人物が写っている複数の画像を用いてフォトアルバムを作成する画像処理装置、画像処理方法、プログラムおよび記録媒体に関する。
【背景技術】
【０００２】
例えば、幼稚園および保育園の卒園アルバムとして、全ての園児について同じ内容のアルバムが作成されている。つまり、卒園アルバムは、全ての園児が共通に使用する複数の共通ページによって構成されている。【０００３】
卒園アルバムを作成する場合、通常、複数の画像（写真）が月単位で分類されて各ページに配置されている。また、不公平感がないように多人数の園児が写っている集合画像（集合写真）が使用されている。集合画像を使うため、各画像には各園児が小さく写っている。従って、卒園アルバムを閲覧する保護者から、自分の子供が卒園アルバムの中のどこにいるのか分かりづらい、および、卒園アルバムの画像における自分の子供の登場回数を他の子どもたちの登場回数と均等にしてほしい等の要望がある。【０００４】
ここで、本発明に関連性のある先行技術文献として、特許文献１および２がある。
【先行技術文献】
【特許文献】
【０００５】
【特許文献１】特許第６０７１１８９号公報
【特許文献２】特開２０１０−５７０７３号公報
【発明の概要】
【発明が解決しようとする課題】
【０００６】
本発明の目的は、複数の人物が写っている複数の画像を用いてフォトアルバムを作成する際に、複数の人物のうちの特定の個人のみが使用する個別ページを作成することができ、さらに複数の人物が共通に使用する共通ページに含まれる画像における各人物の登場回数を均等にすることができる画像処理装置、画像処理方法、プログラムおよび記録媒体を提供することにある。
【課題を解決するための手段】
【０００７】
上記目的を達成するために、本発明は、特定の個人のみが使用する１以上の個別ページ、および、特定の個人を含む複数の人物が共通に使用する１以上の共通ページを有するフォトアルバムを作成する画像処理装置であって、
ユーザから入力される指示を取得する指示取得部と、
複数の人物の名前を登録する名前登録部と、
複数の人物が写っている複数の画像を取得する画像取得部と、
複数の画像を解析する画像解析部と、
複数の画像の解析結果に基づいて、複数の画像を、複数の人物の各々が写っている画像を含む複数のグループに分類する画像分類部と、
各々の人物の名前と、各々の人物の名前に対応する人物が写っている画像を含む複数のグループの各々と、の関連付けを行う関連付け部と、
ユーザの指示に従って複数の人物の名前の中から特定の個人の名前を指定する個人指定部と、
複数の画像の解析結果、特定の個人の名前および関連付けに基づいて、複数の画像の中から、個別ページにおいて使用される個別画像および共通ページにおいて使用される共通画像を選択する画像選択部と、
複数の画像の解析結果に基づいて、共通画像における各々の人物の登場回数をカウントする登場回数カウント部と、
レイアウト情報に基づいて、個別画像を個別ページにレイアウトし、かつ共通画像を共通ページにレイアウトするレイアウト部と、を備え、
画像選択部は、個別画像として、特定の個人の名前に対応する人物を含む２人以下の人物が写っている画像を優先的に選択し、共通画像として、個別画像以外の画像であり、かつ各々の人物の登場回数が複数の人物の登場回数の平均になるように、３人以上の人物が写っている画像を選択する、画像処理装置を提供する。【０００８】
さらに、ユーザの指示に従って、レイアウト部によってレイアウトされた個別ページを表示個別ページとして画像表示部に表示し、表示個別ページのレイアウトを編集し、かつユーザの指示に従って、レイアウト部によってレイアウトされた共通ページを表示共通ページとして画像表示部に表示し、表示共通ページのレイアウトを編集するページ編集部を備えることが好ましい。【０００９】
また、個人指定部は、画像表示部に表示された複数の人物の名前のリストの中から、ユーザの指示に従って選択された１人の人物の名前を特定の個人の名前として指定し、
ページ編集部は、１人の人物の名前に対応する人物の個別ページを表示個別ページとして画像表示部に表示することが好ましい。【００１０】
また、ページ編集部は、複数の画像の中から、１人の人物の名前に対応する人物が写っている画像を選択し、表示個別ページを編集するための編集候補画像として画像表示部に優先的に表示することが好ましい。【００１１】
また、画像解析部は、表示個別ページにレイアウトされた個別画像に写っている人物の顔を検出し、
ページ編集部は、表示個別ページにレイアウトされた個別画像において、顔の検出結果に基づいて、人物の顔領域を囲む顔枠を、人物毎に区別して表示することが好ましい。【００１２】
また、ページ編集部は、表示共通ページにおいて、フォトアルバム全体、および、表示共通ページにおける各々の人物の登場回数を画像表示部に表示することが好ましい。【００１３】
また、ページ編集部は、フォトアルバム全体、および、１以上の共通ページの各々における各々の人物の登場回数を画像表示部に表示することが好ましい。【００１４】
また、ページ編集部は、複数の人物の名前のリストを画像表示部に表示し、かつユーザの指示に従って選択された個別画像または共通画像に写っている人物に対応する人物の名前を、リストにおいて識別表示することが好ましい。【００１５】
また、ページ編集部は、ユーザの指示に従って選択された個別画像または共通画像に写っている人物に対応する人物の名前のリストを画像表示部に表示することが好ましい。【００１６】
さらに、複数の画像の解析結果に基づいて、各々の画像を評価してスコアを算出する画像評価部を備え、
ページ編集部は、共通画像における特定の人物の登場回数が複数の人物の登場回数の平均よりも多い場合に、特定の人物が写っている共通画像の中から、スコアが閾値未満の共通画像を選択して削除候補画像として画像表示部に表示し、画像表示部に表示された削除候補画像の中からユーザの指示に従って選択された削除候補画像を表示共通ページから削除することが好ましい。なお、「特定の人物」は、個別ページを使用する「特定の個人」と同一人物であってもよいし、異なる人物であってもよい。【００１７】
また、ページ編集部は、共通画像における特定の人物の登場回数が複数の人物の登場回数の平均よりも多く、かつ特定の人物が写っている共通画像の中から１つの共通画像を削除すると、１つの共通画像に写っている、複数の人物の登場回数の平均よりも少ない他の人物の登場回数がさらに少なくなる場合に、特定の人物が写っている共通画像の中から、他の人物が写っていない共通画像を選択して削除候補画像として画像表示部に表示し、画像表示部に表示された削除候補画像の中からユーザの指示に従って選択された削除候補画像を表示共通ページから削除することが好ましい。【００１８】
さらに、削除候補画像が削除される前に、削除候補画像を削除してよいか否かを確認するための警告を発する警告発生部を備えることが好ましい。【００１９】
さらに、複数の画像の解析結果に基づいて、各々の画像を評価してスコアを算出する画像評価部を備え、
ページ編集部は、共通画像における特定の人物の登場回数が複数の人物の登場回数の平均よりも少ない場合に、特定の人物が写っている共通画像の中から、スコアが閾値以上の共通画像を選択して採用候補画像として画像表示部に表示し、画像表示部に表示された採用候補画像の中からユーザの指示に従って選択された採用候補画像を表示共通ページにレイアウトすることが好ましい。【００２０】
また、ページ編集部は、共通画像における特定の人物の登場回数が複数の人物の登場回数の平均よりも少なく、かつ特定の人物が写っている共通画像の中から１つの共通画像を追加すると、１つの共通画像に写っている、複数の人物の登場回数の平均よりも多い他の人物の登場回数がさらに多くなる場合、特定の人物が写っている共通画像の中から、他の人物以外の人物が写っている共通画像を選択して採用候補画像として画像表示部に表示し、画像表示部に表示された採用候補画像の中からユーザの指示に従って選択された採用候補画像を表示共通ページにレイアウトすることが好ましい。【００２１】
また、ページ編集部は、共通画像における特定の人物の登場回数が複数の人物の登場回数の平均よりも多い場合に、特定の人物が写っている共通画像をトリミングして、特定の人物が写っている共通画像から特定の人物を削除することが好ましい。【００２２】
また、画像解析部は、共通画像に写っている人物の顔のサイズを検出し、
登場回数カウント部は、共通画像における、顔のサイズが閾値以上である各々の人物の登場回数をメインの登場回数としてカウントし、
ページ編集部は、特定の人物の登場回数の代わりに特定の人物のメインの登場回数を用い、かつ、複数の人物の登場回数の平均の代わりに複数の人物のメインの登場回数の平均を用いることが好ましい。【００２３】
また、顔のサイズの閾値は、フォトアルバムのページのサイズに対する顔のサイズの割合、または、表示共通ページにレイアウトされた共通画像のサイズに対する顔のサイズの割合によって決定されることが好ましい。【００２４】
さらに、複数の画像の解析結果、特定の個人の名前および関連付けに基づいて、特定の個人と特定の個人以外の各々の人物との親密度を算出する親密度算出部を備え、
ページ編集部は、複数の画像の中から、表示個別ページを編集するための画像を選択して編集候補画像として画像表示部に表示し、かつ編集候補画像において、特定の個人との親密度が閾値以上である人物が写っている編集候補画像を優先的に表示することが好ましい。【００２５】
さらに、複数の画像の解析結果、特定の個人の名前および関連付けに基づいて、特定の個人と特定の個人以外の各々の人物との親密度を算出する親密度算出部を備え、
画像選択部は、複数の画像の中から、特定の個人との親密度が閾値以上である人物が写っている画像を個別画像として優先的に選択することが好ましい。【００２６】
さらに、複数の画像の中からトリミングが行われた後にプリント注文された画像のトリミング情報を記憶するトリミング情報記憶部を備え、
ページ編集部は、表示個別ページにレイアウトされた個別画像が、過去にトリミングが行われた後にプリント注文された画像である場合に、トリミング情報に基づいて、プリント注文された画像と同じトリミングを個別画像に行うことが好ましい。【００２７】
さらに、複数の画像の中からプリント注文された画像の注文枚数の情報を記憶する注文枚数情報記憶部を備え、
ページ編集部は、複数の画像の中から、表示共通ページを編集するための画像を選択して編集候補画像として画像表示部に表示し、かつ画像表示部に表示された編集候補画像において、過去のプリント注文された画像の注文枚数が閾値以上である編集候補画像を識別表示することが好ましい。【００２８】
さらに、複数の画像の中からプリント注文された画像の注文枚数の情報を記憶する注文枚数情報記憶部を備え、
画像選択部は、複数の画像の中から、過去のプリント注文された画像の注文枚数が閾値以上である画像を共通画像として優先的に選択することが好ましい。【００２９】
また、レイアウト部は、共通ページにおいて、サイズが小さい領域にレイアウトする共通画像よりも、サイズが大きい領域にレイアウトする共通画像の方が、写っている人物の数が多くなるように共通画像をレイアウトすることが好ましい。【００３０】
また、レイアウト部は、特定の個人の名前を表す文字列の画像を個別ページにレイアウトすることが好ましい。【００３１】
また、本発明は、特定の個人のみが使用する１以上の個別ページ、および、特定の個人を含む複数の人物が共通に使用する１以上の共通ページを有するフォトアルバムを作成する画像処理方法であって、
指示取得部が、ユーザから入力される指示を取得するステップと、
名前登録部が、複数の人物の名前を登録するステップと、
画像取得部が、複数の人物が写っている複数の画像を取得するステップと、
画像解析部が、複数の画像を解析するステップと、
画像分類部が、複数の画像の解析結果に基づいて、複数の画像を、複数の人物の各々が写っている画像を含む複数のグループに分類するステップと、
関連付け部が、各々の人物の名前と、各々の人物の名前に対応する人物が写っている画像を含む複数のグループの各々と、の関連付けを行うステップと、
個人指定部が、ユーザの指示に従って複数の人物の名前の中から特定の個人の名前を指定するステップと、
画像選択部が、複数の画像の解析結果、特定の個人の名前および関連付けに基づいて、複数の画像の中から、個別ページにおいて使用される個別画像および共通ページにおいて使用される共通画像を選択するステップと、
登場回数カウント部が、複数の画像の解析結果に基づいて、共通画像における各々の人物の登場回数をカウントするステップと、
レイアウト部が、レイアウト情報に基づいて、個別画像を個別ページにレイアウトし、かつ共通画像を共通ページにレイアウトするステップと、を含み、
個別画像および共通画像を選択するステップは、個別画像として、特定の個人の名前に対応する人物を含む２人以下の人物が写っている画像を優先的に選択し、共通画像として、個別画像以外の画像であり、かつ各々の人物の登場回数が複数の人物の登場回数の平均になるように、３人以上の人物が写っている画像を選択する、画像処理方法を提供する。【００３２】
また、本発明は、上記の画像処理方法の各々のステップをコンピュータに実行させるためのプログラムを提供する。【００３３】
また、本発明は、上記の画像処理方法の各々のステップをコンピュータに実行させるためのプログラムが記録されたコンピュータ読み取り可能な記録媒体を提供する。【００３４】
また、本発明は、特定の個人のみが使用する１以上の個別ページ、および、特定の個人を含む複数の人物が共通に使用する１以上の共通ページを有するフォトアルバムを作成する画像処理装置であって、
ユーザから入力される指示を取得する指示取得部と、
複数の人物の名前を登録する名前登録部と、
複数の人物が写っている複数の画像を取得する画像取得部と、
複数の画像を解析する画像解析部と、
複数の画像の解析結果に基づいて、複数の画像を、複数の人物の各々が写っている画像を含む複数のグループに分類する画像分類部と、
各々の人物の名前と、各々の人物の名前に対応する人物が写っている画像を含む複数のグループの各々と、の関連付けを行う関連付け部と、
ユーザの指示に従って複数の人物の名前の中から特定の個人の名前を指定する個人指定部と、
複数の画像の解析結果、特定の個人の名前および関連付けに基づいて、複数の画像の中から、個別ページにおいて使用される個別画像および共通ページにおいて使用される共通画像を選択する画像選択部と、
複数の画像の解析結果に基づいて、共通画像における各々の人物の登場回数をカウントする登場回数カウント部と、
レイアウト情報に基づいて、個別画像を個別ページにレイアウトし、かつ共通画像を共通ページにレイアウトするレイアウト部と、を備え、
指示取得部、名前登録部、画像取得部、画像解析部、画像分類部、関連付け部、個人指定部、画像選択部、登場回数カウント部およびレイアウト部は、ハードウェア、または、プログラムを実行するプロセッサであり、
画像選択部は、個別画像として、特定の個人の名前に対応する人物を含む２人以下の人物が写っている画像を優先的に選択し、共通画像として、個別画像以外の画像であり、かつ各々の人物の登場回数が複数の人物の登場回数の平均になるように、３人以上の人物が写っている画像を選択する、画像処理装置を提供する。
【発明の効果】
【００３５】
本発明によれば、個別ページを有するフォトアルバムを作成することができるため、複数の人物のうちの特定の個人、つまり、各々の人物に応じてカスタマイズされたフォトアルバムを作成することができる。また、共通ページに含まれる共通画像における各人物の登場回数を均等にすることができるため、複数の人物の間において不公平感をなくすことができる。
【図面の簡単な説明】
【００３６】
【図１】本発明の画像処理装置の構成を表す一実施形態のブロック図である。
【図２】画像処理装置の動作を表すフローチャートである。
【図３】複数の人物の名前を指定する入力画面を表す概念図である。
【図４】複数の画像が、各々の人物が写っている画像を含む複数のグループに分類された状態を表す概念図である。
【図５】複数の人物の名前のリスト、各々の人物の画像数、および、人物毎に分類された各グループの画像数を表す概念図である。
【図６】フォトアルバムの各ページを表す概念図である。
【図７】個別ページの編集画面を表す概念図である。
【図８】複数の人物の名前のリストにおいて、画像に写っている人物に対応する人物の名前が識別表示された状態を表す概念図である。
【図９】特定の人物が写っている共通画像からトリミングによって特定の人物が削除された状態を表す概念図である。
【図１０】過去にトリミングが行われた後にプリント注文された画像を表す概念図である。
【発明を実施するための形態】
【００３７】
以下に、添付の図面に示す好適実施形態に基づいて、本発明の画像処理装置、画像処理方法、プログラムおよび記録媒体を詳細に説明する。
【００３８】
図１は、本発明の画像処理装置の構成を表す一実施形態のブロック図である。図１に示す画像処理装置１０は、複数の人物が写っている複数の画像を用いてフォトアルバム（フォトブック）を作成する。さらに詳しくは、特定の個人のみが使用する１以上の個別ページ、および、特定の個人を含む複数の人物が共通に使用する１以上の共通ページを有するフォトアルバムを作成する。
【００３９】
例えば、幼稚園および保育園の場合、複数の人物は複数の園児であり、特定の個人は、複数の園児の中から指定された１人の園児である。つまり、特定の個人は、複数の園児の中から指定される各々の園児である。画像処理装置１０は、フォトアルバムとして、特定の個人の個別ページおよび複数の園児について共通の共通ページを含む、園児毎にカスタマイズされた卒園アルバムを作成する。
【００４０】
画像処理装置１０は、図１に示すように、指示取得部１２と、名前登録部１４と、画像取得部１６と、画像解析部１８と、画像評価部２０と、画像分類部２２と、関連付け部２４と、個人指定部２６と、親密度算出部２８と、画像選択部３０と、登場回数カウント部３２と、レイアウト部３４と、ページ編集部３６と、警告発生部３８と、注文枚数情報記憶部４０と、トリミング情報記憶部４２と、を備えている。
【００４１】
画像処理装置１０において、指示取得部１２は、ユーザから入力される各種の指示を取得する。
【００４２】
続いて、名前登録部１４は、例えば指示取得部１２によって取得されたユーザの指示に従って複数の人物の名前を登録する。なお、名前登録部１４は、複数の人物の名前のリストの情報等に基づいて複数の人物の名前を登録してもよい。
【００４３】
続いて、画像取得部１６は、例えばユーザの指示に従って、フォトアルバムにおいて用いられる複数の人物が写っている複数の画像を取得する。なお、画像取得部１６は、あらかじめ設定された記憶場所に記憶された複数の画像を取得してもよい。
【００４４】
続いて、画像解析部１８は、画像取得部１６によって取得された複数の画像を解析する。
【００４５】
画像の解析項目は、特に限定されないが、画像に写っている被写体を検出する被写体検出（人物検出およびオブジェクト検出）、人物の顔検出および顔認識、人物の顔のサイズを検出する顔サイズ検出、画像に写っている人物間の距離を検出する距離検出等の画像内容の解析、画像の明るさ、色合い、コントラストおよびボケブレの程度等の画像の画質の解析、Exif（Exchangeable Image File Format）などの画像の付加情報に含まれる時間情報（撮影日時）および位置情報（撮影場所）等の解析等を含む。
【００４６】
続いて、画像評価部２０は、画像解析部１８による複数の画像の解析結果に基づいて、各々の画像を評価してスコアを算出する。
【００４７】
画像のスコアの算出方法は特に限定されないが、例えば各々の画像について、画像解析部１８による解析項目毎のスコア、および、全ての解析項目の総合のスコアを算出してもよい。解析項目毎のスコアの算出方法も特に限定されないが、例えば画像に写っている人物の顔のサイズが小さい場合よりも大きい場合のスコアを高くしたり、画像のボケブレの程度が大きい場合よりも小さい場合のスコアを高くしたりしてもよい。これ以外の解析項目についても同様である。
【００４８】
続いて、画像分類部２２は、複数の画像の解析結果、例えば顔検出および顔認識の解析結果に基づいて、複数の画像を、複数の人物の各々が写っている画像を含む複数のグループに分類する。
【００４９】
続いて、関連付け部２４は、ユーザの指示に従って、名前登録部１４に登録された各々の人物の名前と、画像分類部２２によって分類された、各々の人物の名前に対応する人物が写っている画像を含む複数のグループの各々との関連付けを行う。なお、関連付け部２４は、各々の人物の名前と各々の画像のグループとの関連付けの情報に基づいて関連付けを行ってもよい。
【００５０】
続いて、個人指定部２６は、ユーザの指示に従って、名前登録部１４に登録された複数の人物の名前の中から特定の個人の名前を指定する。
【００５１】
続いて、親密度算出部２８は、複数の画像の解析結果、個人指定部２６によって指定された特定の個人の名前、および、関連付け部２４によって行われた各々の人物の名前と各々の画像のグループとの関連付けに基づいて、特定の個人と特定の個人以外の各々の人物との親密度を算出する。
【００５２】
親密度の算出方法は特に限定されないが、例えば特定の個人と一緒に写っている画像の枚数が多い人物、特定の個人と一緒に写っている画像において、一緒に写っている人数が少ない人物、および、特定の個人と一緒に写っている画像において、特定の個人との距離が近い人物等は、特定の個人との親密度が高い人物であると考えられるため、その人物と特定の個人との親密度を他の人物と特定の個人との親密度よりも高くすることができる。
【００５３】
続いて、画像選択部３０は、複数の画像の解析結果、個人指定部２６によって指定された特定の個人の名前、各々の人物の名前と各々のグループとの関連付け、および、親密度算出部２８によって算出された特定の個人とそれ以外の各々の人物との親密度等のうち、少なくとも一つに基づいて、複数の画像の中から、個別ページにおいて使用される個別画像および共通ページにおいて使用される共通画像を選択する。
【００５４】
続いて、登場回数カウント部３２は、画像解析部１８による複数の画像の解析結果、例えば人物検出の解析結果に基づいて、画像選択部３０によって選択された共通画像における各々の人物の登場回数をカウントする。
【００５５】
続いて、レイアウト部３４は、フォトアルバムのレイアウトを指定するためのレイアウト情報に基づいて、画像選択部３０によって選択された個別画像を個別ページにレイアウトし、かつ共通画像を共通ページにレイアウトする。また、レイアウト部３４は、表紙ページ、個別ページ、共通ページ、特殊ページおよび裏表紙ページ等を含むフォトアルバムを作成する。
【００５６】
続いて、ページ編集部３６は、ユーザの指示に従って、レイアウト部３４によってレイアウトされた個別ページを表示個別ページとして、液晶ディスプレイ等の画像表示部に表示し、表示個別ページのレイアウトを編集する。また、ページ編集部３６は、ユーザの指示に従って、レイアウト部３４によってレイアウトされた共通ページを表示共通ページとして画像表示部に表示し、表示共通ページのレイアウトを編集する。
【００５７】
続いて、警告発生部３８は、ページ編集部３６によって表示共通ページから後述する削除候補画像が削除される前に、削除候補画像を削除してよいか否かを確認するための警告を発する。
【００５８】
削除候補画像は、表示共通ページにおいて、共通画像における特定の人物の登場回数が複数の人物の登場回数の平均よりも多い場合に、特定の人物が写っている共通画像の中から削除の対象となる候補画像である。
【００５９】
続いて、注文枚数情報記憶部４０は、複数の画像の中からプリント注文された画像の注文枚数の情報を記憶する。
【００６０】
続いて、トリミング情報記憶部４２は、複数の画像の中からトリミングが行われた後にプリント注文された画像のトリミング情報を記憶する。
【００６１】
次に、図２のフローチャートを参照して、画像処理装置１０の動作を説明する。
なお、以下の説明においては、フォトアルバムとして、幼稚園および保育園の卒園アルバムを作成する場合を例に挙げて説明する。
【００６２】
フォトアルバムを作成する場合、まず、画像処理装置１０のユーザは、図３に示すように、例えば指示取得部１２を介して複数の人物の名前を指定する指示を入力する。
【００６３】
幼稚園および保育園の場合、画像処理装置１０のユーザは、例えば先生である。
図３においては、園児の名前の入力画面において、先生により、複数の園児の名前、例えばＡＡＡちゃん、ＢＢＢちゃん、ＣＣＣちゃん、…の名前が入力されている。
【００６４】
複数の人物の名前を指定する指示が入力されると、名前登録部１４により、ユーザの指示に従って入力された複数の人物の名前が登録される（ステップS1）。
【００６５】
続いて、ユーザは、例えば指示取得部１２を介して複数の画像を指定する指示を入力する。
【００６６】
複数の画像が指定されると、画像取得部１６により、ユーザの指示に従って指定された複数の画像が取得される（ステップS2）。
【００６７】
画像取得部１６は、特に限定されないが、幼稚園および保育園の行事において先生およびプロカメラマン等によって撮影された画像、ならびに、各々の園児の家庭において園児の保護者等によって撮影された画像等の各種の画像を取得することができる。
【００６８】
複数の画像が取得されると、画像解析部１８により、複数の画像が解析される（ステップS3）。
【００６９】
続いて、画像評価部２０により、複数の画像の解析結果に基づいて、各々の画像が評価されてスコアが算出される（ステップS4）。
【００７０】
また、画像分類部２２により、図４に示すように、複数の画像の解析結果に基づいて、複数の画像が、複数の人物の各々が写っている画像を含む複数のグループに分類される（ステップS5）。
【００７１】
図４においては、園児が写っている複数の画像（図４の左側）が、各々の園児が写っている画像を含む、グループ１、グループ２、グループ３、…（図４の右側）に分類されている。
【００７２】
画像が人物毎のグループに分類されると、図５に示すように、名前登録部１４に登録された複数の人物の名前のリスト、各々の人物の画像数、および、人物毎に分類された各グループの画像等が画像表示部に表示される。
【００７３】
図５においては、複数の園児のリスト（図５の左側）、各々の園児の画像数（図５中央）、および、各々の園児が写っている画像のグループ１，２，３，…（図５の右側）が表示されている。
【００７４】
続いて、ユーザは、例えば指示取得部１２を介して、画像表示部に表示された各々の人物の名前と、各々の人物の名前に対応する人物が写っている画像を含む各々のグループとの関連付けを指定する指示を入力する。
【００７５】
人物の名前と画像のグループとの関連付けの指示が入力されると、関連付け部２４により、ユーザの指示に従って、各々の人物の名前と、各々の人物の名前に対応する人物が写っている画像を含む各々のグループとの関連付けが行われる（ステップS6）。
【００７６】
人物の名前と画像のグループとの関連付けは、例えば月単位で行ってもよいし、フォトアルバムの作成前に行ってもよい。一旦、人物の名前と画像のグループとの関連付けが行われると、これ以降に撮影された画像は、画像解析部１８により、その画像に写っている人物が検出され、画像分類部２２により、複数の画像の解析結果に基づいて、その人物が写っている画像を含むグループに自動的に分類される。
【００７７】
続いて、ユーザは、指示取得部１２を介して、名前登録部１４に登録された複数の人物の名前の中から１人の人物の名前を特定の個人の名前として指定する情報を入力する。
【００７８】
特定の個人の名前が入力されると、個人指定部２６により、ユーザの指示に従って、名前登録部１４に登録された複数の人物の名前の中から特定の個人の名前が指定される（ステップS7）。
【００７９】
特定の個人の名前を指定する方法は特に限定されないが、ユーザは、例えば画像表示部に表示された複数の人物の名前のリストの中から１人の人物の名前を選択して特定の個人の名前として指定することができる。この場合、個人指定部２６は、画像表示部に表示された複数の人物の名前のリストの中から、ユーザの指示に従って選択された１人の人物の名前を特定の個人の名前として指定する。
【００８０】
続いて、親密度算出部２８により、複数の画像の解析結果、特定の個人の名前および各々の人物の名前と各々の画像のグループとの関連付けに基づいて、特定の個人とそれ以外の各々の人物との親密度が算出される（ステップS8）。
【００８１】
続いて、画像選択部３０により、複数の画像の解析結果、特定の個人の名前、関連付けおよび親密度等に基づいて、複数の画像の中から個別画像および共通画像が選択される（ステップS9）。
【００８２】
画像選択部３０は、個別画像として、特定の個人が写っている画像を選択するために、特定の個人の名前に対応する人物を含む２人以下の人物が写っている画像を優先的に選択する。また、共通画像として、個別画像以外の画像であり、かつ３人以上の人物が写っている画像を選択する。共通画像に写っている人物の数に上限はない。なお、共通画像は、複数の人物のうちの特定の人物が目立たない画像であるのが望ましい。
【００８３】
続いて、登場回数カウント部３２により、複数の画像の解析結果に基づいて、共通画像における各々の人物の登場回数がカウントされる（ステップS10）。
【００８４】
各々の人物の登場回数がカウントされると、画像選択部３０により、共通画像として、複数の人物の間において不公平感なく画像を選択するために、複数の画像の中から、個別画像以外の画像であり、かつ各々の人物の登場回数が複数の人物の登場回数の平均になるように、３人以上の人物が写っている画像が選択される。これにより、共通画像における各々の人物の登場回数を均等にすることができる。
【００８５】
続いて、ユーザは、指示取得部１２を介してレイアウト情報を入力する。
【００８６】
【表１】
2019130823.tif 000003
【００８７】
レイアウト情報は、特に限定されないが、表１に示すように、フォトアルバムのページのサイズ、ページ数、ページ毎の画像数、特殊ページの有無とそのページ位置、および、画像の撮影期間の情報等が含まれる。また、特殊ページには、個別ページの他、園児の顔画像を一覧表示する園児一覧ページ、先生の顔画像を一覧表示する先生一覧ページ、および、その他の特殊ページが含まれる。
【００８８】
また、フォトアルバムのページのサイズとは、Ａ４、Ａ５、…等の、フォトアルバムのページのサイズを示す情報である。ページ数とは、１０Ｐ（ページ）、１５Ｐ、２０Ｐ、…等の、フォトアルバム全体のページ数を示す情報である。ページ毎の画像数とは、少なめ、普通、多め等の、各ページにレイアウトされる画像の数を示す情報である。個別ページの有無とそのページ位置とは、「有、３−４ページ」等の、フォトアルバムに個別ページが含まれるか否かを示す情報、および、フォトアルバムに個別ページが含まれる場合、個別ページのページ位置を示す情報である。園児一覧ページの有無とそのページ位置とは、「有、１−２ページ」等の、フォトアルバムに園児一覧ページが含まれるか否かを示す情報、および、フォトアルバムに園児一覧ページが含まれる場合、園児一覧ページのページ位置を示す情報である。画像の撮影期間とは、１年分、２年分、３年分、…等の、フォトアルバムに含まれる画像が撮影された期間を示す情報である。
【００８９】
レイアウト情報が入力されると、レイアウト部３４により、レイアウト情報に基づいて、個別画像が個別ベージにレイアウトされ、かつ共通画像が共通ページにレイアウトされる。そして、図６に示すように、例えば卒園アルバムとして、表紙ページ、園児毎の個別ページ、全園児の共通ページ、特殊ページおよび裏表紙ページ等を含むフォトアルバムが作成される（ステップS11）。
【００９０】
ユーザは、ユーザの指示に従って、フォトアルバムの各ページを画像表示部に表示させ、編集することができる。例えば個別ページを編集する場合、ユーザは、編集しようとする個別ページを指定する指示を入力する。
【００９１】
個別ページを指定する指示が入力されると、図７に示すように、ページ編集部３６により、ユーザの指示に従って個別ページが表示個別ページとして画像表示部に表示される。
【００９２】
図７は、個別ページの編集画面の例である。
例えば、編集画面の左上部から中央部までの領域には、フォトアルバム２ページ分の見開きページである個別ページが表示されている。個別ページの上部には、画像の「入替え」、および、画像を「はずす」等の編集ボタンが表示され、個別ページの右側および左側には、次および前の個別ページを表示させるためのボタンが表示されている。また、個別ページ内の左上部には、レイアウト部３４により、この個別ページに対応する特定の個人の名前（ＡＡＡちゃん）およびコメント（ＸＸＸＸ）を表す文字列の画像がレイアウトされている。
また、編集画面の右上部から右中央部までの領域には、園児の名前のリスト、つまり、ＡＡＡちゃん、ＢＢＢちゃん、ＣＣＣちゃん、…が表示されている。
編集画面の左下部から右下部までの領域には、個別ページを編集するための編集候補画像が表示されている。
【００９３】
続いて、ユーザは、画像の入替え、削除、拡大縮小、トリミング等のように、表示個別ページを編集する指示を入力する。
【００９４】
表示個別ページを編集する指示が入力されると、ページ編集部３６により、ユーザの指示に従って表示個別ページのレイアウトが編集される（ステップS12）。
【００９５】
同様に、共通ページを編集する場合、ユーザは、編集しようとする共通ページを指定する指示を入力する。
【００９６】
共通ページを指定する指示が入力されると、ページ編集部３６により、ユーザの指示に従って共通ページが表示共通ページとして画像表示部に表示される。
【００９７】
続いて、ユーザは、表示共通ページを編集する指示を入力する。
【００９８】
表示共通ページを編集する指示が入力されると、ページ編集部３６により、ユーザの指示に従って表示共通ページのレイアウトが編集される（ステップS12）。ユーザの指示によるレイアウトの編集が終了すると、処理を終了する。
【００９９】
なお、フォトアルバムの編集は、基本的に幼稚園および保育園の先生が行うが、例えば個別ページの編集のみは、先生だけでなく、各園児の保護者も編集できるようにしてもよい。例えば、画像処理装置１０を利用するためのスマートフォンのアプリケーションを使用して、画像処理装置１０にアクセスしてログインした後、自分の子供の個別ページだけを編集可能にしてもよい。
【０１００】
フォトアルバムの各ページの編集が終了すると、ユーザは、複数の人物のフォトアルバムのプリントを注文することができる。全ての人物のフォトアルバムの作成が終了した後に、全ての人物のフォトアルバムのプリントを一括で注文してもよいし、各々の人物のフォトアルバムの作成が終了する毎に、各々の人物のフォトアルバムのプリントを個別に注文してもよい。
【０１０１】
画像処理装置１０においては、個別ページを有するフォトアルバムを作成することができるため、複数の人物のうちの特定の個人、つまり、各々の人物に応じてカスタマイズされたフォトアルバムを作成することができる。また、共通ページに含まれる共通画像における各人物の登場回数を均等にすることができるため、複数の人物の間において不公平感をなくすことができる。
【０１０２】
なお、個別ページを指定する場合、図７に示すように、例えば個人指定部２６が、画像表示部に表示された複数の人物の名前のリストの中から、ユーザの指示に従って選択された１人の人物の名前を特定の個人の名前として指定することができる。
この場合、ページ編集部３６により、個人指定部２６によって指定された１人の人物の名前に対応する人物の個別ページが表示個別ページとして画像表示部に表示される。
従って、ユーザは、複数の人物の名前のリストの中から所望の人物の名前を選択することによって、所望の人物の個別ページを画像表示部に表示させて閲覧することができる。
【０１０３】
また、ページ編集部３６は、複数の画像の中から、個人指定部２６によって指定された１人の人物の名前に対応する人物が写っている画像を選択し、図７に示すように、表示個別ページを編集するための編集候補画像として画像表示部に優先的に表示してもよい。
これにより、ユーザは、表示個別ページを編集する場合に、複数の画像の中から、その表示個別ページに対応する人物が写っている画像を容易に選択して使用することができる。
【０１０４】
また、表示個別ページにおいて、個別画像を表示する場合、例えば画像解析部１８が、表示個別ページにレイアウトされた個別画像に写っている人物の顔を検出し、図７に示すように、ページ編集部３６が、表示個別ページにレイアウトされた個別画像において、顔の検出結果に基づいて、人物の顔領域を囲む顔枠を、人物毎に区別して表示してもよい。例えば、顔枠の色、太さおよび線種等を人物毎に変えてもよい。
これにより、ユーザは、個別画像において、その表示個別ページに対応する人物とその他の人物とを容易に区別することができる。
【０１０５】
【表２】
2019130823.tif 000004
【０１０６】
【表３】
2019130823.tif 000005
【０１０７】
また、表示共通ページを表示する場合、ページ編集部３６は、表２に示すように、表示共通ページにおいて、フォトアルバム全体、および、表示共通ページにおける各々の人物、つまり、ＡＡＡちゃん、ＢＢＢちゃん、ＣＣＣちゃん、…の登場回数を画像表示部に表示してもよい。
あるいは、表３に示すように、表示共通ページにおいて、フォトアルバム全体、および、１以上の共通ページの各々、例えば１−２Ｐ（ページ）、３−４Ｐ、５−６Ｐ、…における各々の人物、つまり、ＡＡＡちゃん、ＢＢＢちゃん、ＣＣＣちゃん、…の登場回数を画像表示部に表示してもよい。
これにより、ユーザは、フォトアルバム全体および各共通ページの共通画像における各々の人物の登場回数を容易に把握することができ、例えば登場回数は多くても、特定のページにしか登場していないなどのように、ページ毎の偏りがあるかないかを簡単にチェックすることができる。
【０１０８】
また、ページ編集部３６は、図８に示すように、複数の人物の名前のリストを画像表示部に表示し、かつユーザの指示に従って選択された個別画像または共通画像（図８において指マークで表す）に写っている人物に対応する人物の名前を、リストにおいて識別表示してもよい。例えば、人物の名前のリストにおいて、その人物に対応する人物の名前の先頭部分に星等のマークを付けたり、その人物の名前の色を変えたりして識別表示する。
あるいは、ページ編集部３６は、ユーザの指示に従って選択された個別画像または共通画像に写っている人物の名前のリストを画像表示部に表示してもよい。
これにより、ユーザは、個別画像および共通画像に写っている人物の名前を容易に知ることができる。
【０１０９】
また、表示共通ページを編集する場合、画像評価部２０が、複数の画像の解析結果に基づいて、各々の画像を評価してスコアを算出し、ページ編集部３６が、共通画像における特定の人物の登場回数が複数の人物の登場回数の平均よりも多い場合に、特定の人物が写っている共通画像の中から、スコアが閾値未満の共通画像を選択して削除候補画像として画像表示部に表示し、画像表示部に表示された削除候補画像の中からユーザの指示に従って選択された削除候補画像を表示共通ページから削除してもよい。
これにより、ユーザは、特定の人物が写っている共通画像の中でスコアが閾値未満の共通画像を知ることができ、例えばスコアが悪い共通画像から順に削除することができる。なお、閾値は自動で設定してもよいし、ユーザが設定可能としてもよい。
【０１１０】
また、ページ編集部３６は、共通画像における特定の人物の登場回数が複数の人物の登場回数の平均よりも多く、かつ特定の人物が写っている共通画像の中から１つの共通画像を削除すると、１つの共通画像に写っている、複数の人物の登場回数の平均よりも少ない他の人物の登場回数がさらに少なくなる場合に、特定の人物が写っている共通画像の中から、他の人物が写っていない共通画像を選択して削除候補画像として画像表示部に表示し、画像表示部に表示された削除候補画像の中からユーザの指示に従って選択された削除候補画像を表示共通ページから削除してもよい。
これにより、ユーザは、上記と同様に削除候補画像を知ることができ、かつ、共通画像における登場回数が少ない人物の登場回数がさらに少なくなることを防ぐことができる。
【０１１１】
なお、ページ編集部３６によって削除候補画像が削除される前に、警告発生部３８により、削除候補画像を削除してよいか否かを確認するための警告を発するようにしてもよい。警告は、音声でもよいし、警告メッセージでもよい。
【０１１２】
また、表示共通ページを編集する場合、共通画像における特定の人物の登場回数が複数の人物の登場回数の平均よりも少ない場合に、ページ編集部３６は、特定の人物が写っている共通画像の中から、画像評価部２０により複数の画像の解析結果に基づいて各々の画像を評価して算出されたスコアが閾値以上の共通画像を選択して採用候補画像として画像表示部に表示し、画像表示部に表示された採用候補画像の中からユーザの指示に従って選択された採用候補画像を表示共通ページにレイアウトしてもよい。
これにより、ユーザは、特定の人物が写っている共通画像の中でスコアが閾値以上の共通画像を知ることができ、例えばスコアが良い共通画像から順にレイアウトすることができる。同様に、閾値は自動で設定してもよいし、ユーザが設定可能としてもよい。
【０１１３】
また、ページ編集部３６は、共通画像における特定の人物の登場回数が複数の人物の登場回数の平均よりも少なく、かつ特定の人物が写っている共通画像の中から１つの共通画像を追加すると、１つの共通画像に写っている、複数の人物の登場回数の平均よりも多い他の人物の登場回数がさらに多くなる場合、特定の人物が写っている共通画像の中から、他の人物以外の人物が写っている共通画像を選択して採用候補画像として画像表示部に表示し、画像表示部に表示された採用候補画像の中からユーザの指示に従って選択された採用候補画像を表示共通ページにレイアウトしてもよい。
これにより、ユーザは、上記と同様に採用候補画像を知ることができ、かつ、共通画像における登場回数が多い人物の登場回数がさらに多くなることを防ぐことができる。
【０１１４】
また、ページ編集部３６は、図９に示すように、共通画像における特定の人物の登場回数が複数の人物の登場回数の平均よりも多い場合に、特定の人物が写っている共通画像をトリミングして、特定の人物が写っている共通画像から特定の人物を削除してもよい。
図９においては、丸で囲まれた１人の人物、つまり、特定の人物がトリミングによって削除され、四角の破線で囲まれた２人の人物が写っている画像とされている。
これにより、共通画像における登場回数が多い特定の人物の登場回数を容易に削減することができる。
【０１１５】
【表４】
2019130823.tif 000006
【０１１６】
また、表示共通ページを編集する際に、共通画像における特定の人物の登場回数をカウントする場合、画像解析部１８が、共通画像に写っている人物の顔のサイズを検出し、表４に示すように、登場回数カウント部３２が、共通画像における、顔のサイズが閾値以上である各々の人物の登場回数をメインの登場回数としてカウントしてもよい。また、共通画像における、顔のサイズが閾値未満である各々の人物の登場回数をサブの登場回数としてカウントしてもよいし、フォトアルバム全体についてメインおよびサブの登場回数をカウントしてもよい。
この場合、ページ編集部３６は、特定の人物の登場回数の代わりに特定の人物のメインの登場回数を用い、かつ、複数の人物の登場回数の平均の代わりに複数の人物のメインの登場回数の平均を用いることができる。
登場回数が多くても、共通画像に写っている子供の顔のサイズが小さいと、その子供の保護者は不満に感じる。メインの登場回数を用いることにより、顔のサイズが閾値以上である人物が写っている共通画像における登場回数を均等にすることができる。
【０１１７】
なお、閾値は、自動で設定してもよいし、ユーザが設定可能としてもよい。自動で設定する場合、顔のサイズの閾値は、フォトアルバムのページのサイズに対する顔のサイズの割合、または、表示共通ページにレイアウトされた共通画像のサイズに対する顔のサイズの割合によって決定してもよい。
【０１１８】
また、表示個別ページを編集する場合、親密度算出部２８が、複数の画像の解析結果に基づいて、特定の個人と特定の個人以外の各々の人物との親密度を算出し、ページ編集部３６が、複数の画像の中から、表示個別ページを編集するための画像を選択して編集候補画像として画像表示部に表示し、かつ編集候補画像において、特定の個人との親密度が閾値以上である人物が写っている編集候補画像を優先的に表示してもよい。
これにより、ユーザは、特定の個人と親密度が高い他の人物が写っている画像を編集候補画像として容易に使用することができる。
【０１１９】
また、表示個別ページを編集する場合、特定の個人との親密度が閾値以上である人物の名前のリストを画像表示部に表示してもよい。
これにより、ユーザは、特定の個人との親密度が閾値以上である人物の名前のリストの中から所望の人物を選択することにより、特定の個人と仲の良い人物が写っている画像を編集候補画像として画像表示部に表示させることができる。
【０１２０】
また、個別画像を選択する場合も、親密度算出部２８が、複数の画像の解析結果に基づいて、特定の個人と特定の個人以外の各々の人物との親密度を算出し、画像選択部３０が、複数の画像の中から、特定の個人との親密度が閾値以上である人物が写っている画像を個別画像として優先的に選択してもよい。
これにより、レイアウト部３４が個別ページを自動でレイアウトする場合に、特定の個人と親密度が高い他の人物が写っている画像を個別画像として優先的に使用することができる。
【０１２１】
また、注文枚数情報記憶部４０が、プリント注文された画像の注文枚数の情報を記憶しておくことにより、表示共通ページを編集する場合に、ページ編集部３６は、図８に示すように、複数の画像の中から、表示共通ページを編集するための画像を選択して編集候補画像として画像表示部に表示し、かつ画像表示部に表示された編集候補画像において、過去のプリント注文された画像の注文枚数が閾値以上である編集候補画像を識別表示することができる。例えば、星等のマークを編集候補画像に付けて識別表示することができる。
注文枚数が多い画像は、園児およびその保護者等にとって共通して大事な画像であると考えられる。従って、過去の注文枚数が閾値以上である編集候補画像を識別表示することにより、園児およびその保護者等にとって共通して大事な画像を使用して表示共通ページを編集することができる。なお、閾値は自動で設定してもよいし、ユーザが設定可能としてもよい。
【０１２２】
また、同様に注文枚数情報記憶部４０が、プリント注文された画像の注文枚数の情報を記憶しておくことにより、共通画像を選択する場合も、画像選択部３０が、複数の画像の中から、過去のプリント注文された画像の注文枚数が閾値以上である画像を共通画像として優先的に選択することができる。
これにより、レイアウト部３４が共通ページを自動でレイアウトする場合に、園児およびその保護者等にとって共通して大事な画像を共通画像として優先的に使用することができる。
【０１２３】
また、図１０に示すように、トリミング情報記憶部４２が、トリミングが行われた後にプリント注文された画像のトリミング情報を記憶しておくことにより、表示個別ページを編集する場合、ページ編集部３６は、表示個別ページにレイアウトされた個別画像が、過去にトリミングが行われた後にプリント注文された画像である場合に、トリミング情報に基づいて、プリント注文された画像と同じトリミングを個別画像に行うことができる。
図１０においては、トリミングによって四角の破線で囲まれた２人の人物が写っている画像が抽出されている。
画像をトリミングしてプリント注文した人物は、トリミング前の画像よりもトリミング後の画像の方を好むと考えられる。従って、プリント注文された画像と同じトリミングを個別画像に行うことにより、個別ページを、その人物にとってより好ましいものにすることができる。
【０１２４】
また、レイアウト部３４は、共通ページにおいて、サイズが小さい領域にレイアウトする共通画像よりも、サイズが大きい領域にレイアウトする共通画像の方が、写っている人物の数が多くなるように共通画像をレイアウトしてもよい。
画像選択部３０は、共通画像として、複数の画像の中から３人以上の人物が写っている画像を選択する。しかし、画像に多くの人物が写っていると、各人物の顔のサイズが小さくなるため、共通ページに配置された場合の画像のサイズに応じて、その画像に写っている人物の人数を調整するのが望ましい。同じ共通画像を、サイズが小さい領域にレイアウトする場合よりもサイズが大きい領域にレイアウトする場合の方が、共通画像に写っている人物の顔のサイズが大きくなる。従って、上記のように共通画像をレイアウトすることにより、共通画像に写っている人物の顔のサイズをより好ましいサイズにすることができる。
【０１２５】
なお、本発明は、幼稚園および保育園に限らず、学校の複数の生徒および会社の複数の仕事仲間等のように、複数の人物からなるグループにおいて、複数の人物が写っている複数の画像を用いて各種のフォトアルバムを作成する場合にも同様に利用可能である。
【０１２６】
本発明の装置において、指示取得部１２、名前登録部１４、画像取得部１６、画像解析部１８、画像評価部２０、画像分類部２２、関連付け部２４、個人指定部２６、親密度算出部２８、画像選択部３０、登場回数カウント部３２、レイアウト部３４、ページ編集部３６、警告発生部３８、注文枚数情報記憶部４０およびトリミング情報記憶部４２等の各種の処理を実行する処理部（Processing Unit）のハードウェア的な構成は、専用のハードウェアであってもよいし、プログラムを実行する各種のプロセッサまたはコンピュータであってもよい。
【０１２７】
各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、ＡＳＩＣ（Application Specific Integrated Circuit）等の特定の処理をさせるために専用に設計された回路構成を有するプロセッサである専用電気回路等が含まれる。
【０１２８】
１つの処理部を、これら各種のプロセッサのうちの１つで構成してもよいし、同種または異種の２つ以上のプロセッサの組み合わせ、例えば、複数のＦＰＧＡの組み合わせ、または、ＦＰＧＡおよびＣＰＵの組み合わせ等によって構成してもよい。また、複数の処理部を、各種のプロセッサのうちの１つで構成してもよいし、複数の処理部のうちの２以上をまとめて１つのプロセッサを用いて構成してもよい。
【０１２９】
例えば、サーバおよびクライアント等のコンピュータに代表されるように、１つ以上のＣＰＵとソフトウェアの組み合わせで１つのプロセッサを構成し、このプロセッサが複数の処理部として機能する形態がある。また、システムオンチップ（System on Chip：ＳｏＣ）等に代表されるように、複数の処理部を含むシステム全体の機能を１つのＩＣ（Integrated Circuit）チップで実現するプロセッサを使用する形態がある。
【０１３０】
さらに、これらの各種のプロセッサのハードウェア的な構成は、より具体的には、半導体素子などの回路素子を組み合わせた電気回路（Circuitry）である。
【０１３１】
また、本発明の方法は、例えば、その各々のステップをコンピュータに実行させるためのプログラムにより実施することができる。また、このプログラムが記録されたコンピュータ読み取り可能な記録媒体を提供することもできる。
【０１３２】
以上、本発明について詳細に説明したが、本発明は上記実施形態に限定されず、本発明の主旨を逸脱しない範囲において、種々の改良や変更をしてもよいのはもちろんである。
【符号の説明】
【０１３３】
１０  画像処理装置
１２  指示取得部
１４  名前登録部
１６  画像取得部
１８  画像解析部
２０  画像評価部
２２  画像分類部
２４  関連付け部
２６  個人指定部
２８  親密度算出部
３０  画像選択部
３２  登場回数カウント部
３４  レイアウト部
３６  ページ編集部
３８  警告発生部
４０  注文枚数情報記憶部
４２  トリミング情報記憶部
【図１】
2019130823.tif 000007
【図２】
2019130823.tif 000008
【図３】
2019130823.tif 000009
【図４】
2019130823.tif 000010
【図５】
2019130823.tif 000011
【図６】
2019130823.tif 000012
【図７】
2019130823.tif 000013
【図８】
2019130823.tif 000014
【図９】
2019130823.tif 000015
【図１０】
2019130823.tif 000016
【国際調査報告】
2019130823.tif 000017
2019130823.tif 000018
2019130823.tif 000019
2019130823.tif 000020